(57)【要約】【課題】新規に防犯システムを導入するのに際して要する費用と時間とを削減する。情報収集精度を従来と比べて高くする。【解決手段】ボタン電話装置の主装置において侵入者をセンサにより検知し、予め設定した被通報内線電話機に自動通報した後に、特定の被モニタ内線電話機によりその周辺の情報の収集を行い、被通報内線電話機にその周辺情報を通知する。また、このときに、被通報内線電話機の表示画面に監視状況および被モニタ内線電話機の情報およびモニタリングの操作説明を表示させる。また、被モニタ内線電話機を切り替えることもできる。【選択図】図１
2008269402.tif 000002
【特許請求の範囲】
【請求項１】
複数の内線電話機と、この複数の内線電話機を収容する主装置とを備えたボタン電話装置において、
センサの検知出力を受け取る手段と、
この受け取る手段によりセンサからの検知出力を受け取ると予め設定された被通報内線電話機に対してその旨を通報する手段と、
当該被通報内線電話機からの当該通報に対する応答を受けると予め設定された被モニタ内線電話機の周辺情報収集機能を起動させ、その周辺情報収集結果を前記被通報内線電話機に転送する手段と
を備えたことを特徴とするボタン電話装置。
【請求項２】
前記被通報内線電話機からの操作入力に応じて前記被モニタ内線電話機を他の内線電話機に切り替える手段を備えた請求項１記載のボタン電話装置。
【請求項３】
前記被通報内線電話機の表示画面に前記被モニタ内線電話機の識別情報または前記周辺情報収集機能の稼働状況または自被通報内線電話機の操作説明を表示させる手段を備えた請求項１または２記載のボタン電話装置。
【請求項４】
前記内線電話機の一部または全部に前記センサを備えた請求項１ないし３のいずれかに記載のボタン電話装置。
【請求項５】
前記内線電話機の一部または全部に前記周辺情報収集機能としてテレビカメラ装置を備えた請求項１ないし４のいずれかに記載のボタン電話装置。
【請求項６】
請求項１ないし５のいずれかに記載のボタン電話装置に適用され、前記センサまたは前記テレビカメラ装置を備えた内線電話機。
【請求項７】
複数の内線電話機を収容する主装置が行う侵入者監視方法において、
侵入者を検知するセンサからの検知出力を受け取ると予め設定された被通報内線電話機に対してその旨を通報し、
当該被通報内線電話機からの当該通報に対する応答を受けると予め設定された被モニタ内線電話機の周辺情報収集機能を起動させ、その周辺情報収集結果を前記被通報内線電話機に転送する
ことを特徴とする侵入者監視方法。
【請求項８】
前記被通報内線電話機からの操作入力に応じて前記被モニタ内線電話機を他の内線電話機に切り替える請求項７記載の侵入者監視方法。
【請求項９】
前記被通報内線電話機の表示画面に前記被モニタ内線電話機の識別情報または前記周辺情報収集機能の稼働状況または自被通報内線電話機の操作説明を表示させる請求項７または８記載の侵入者監視方法。
【請求項１０】
汎用の情報処理装置にインストールすることにより、その汎用の情報処理装置に、請求項１ないし５のいずれかに記載のボタン電話装置における前記主装置の機能に相応する機能を実現させるプログラム。
【発明の詳細な説明】
【技術分野】
【０００１】
本発明は、複数の内線電話機を収容し、外線と内線電話機または内線電話機相互間の接続制御を行う主装置を備えたボタン電話装置に利用する。特に、侵入者の監視技術に関する。
【背景技術】
【０００２】
企業の建物や個人の住宅に、防犯のための各種センサまたはカメラ装置を取り付け、これを一元管理する防犯システムが広く普及している。例えば、門扉、玄関、窓、塀などの人が出入り可能な箇所の近傍にセンサまたはカメラ装置を複数取り付けておき、モニタ装置によって監視を行っている。
【０００３】
【特許文献１】特開２００３−１３２４５９号公報
【発明の開示】
【発明が解決しようとする課題】
【０００４】
従来の防犯システムを導入する際には、センサやカメラ装置などの周辺情報収集機能またはモニタ装置などの設置に際し、多くの費用と時間とを要する。
【０００５】
また、このような周辺情報収集機能は、既存の建物に後から設置するものであり、その設置場所は大きな制約を受けることになる。
【０００６】
さらに、このような周辺情報収集機能が企業においては従業員の仕事の障害になってはならず、個人住宅においては家族の生活を行う上で障害になってはならず、その点からも大きな制約を受けざるをえない。
【０００７】
そこで、このような多くの費用と時間とをかけることなく、新規に防犯システムを導入することができる技術が望まれる。また、周辺情報収集機能を従来よりも増やすことにより、情報収集精度を高めることが望まれる。
【０００８】
本発明は、このような背景の下に行われたものであって、新規に防犯システムを導入するのに際して要する費用と時間とを削減することができると共に情報収集精度を従来と比べて高くすることができるボタン電話装置および侵入者監視方法を提供することを目的とする。
【課題を解決するための手段】
【０００９】
本発明の特徴は、ボタン電話装置の主装置において侵入者をセンサにより検知し、予め設定した被通報内線電話機に自動通報した後に、特定の被モニタ内線電話機によりその周辺の情報の収集を行い、被通報内線電話機にその周辺情報を通知する。また、このときに、被通報内線電話機の表示画面に監視状況および被モニタ内線電話機の情報およびモニタリングの操作説明を表示させることができる。また、被モニタ内線電話機を切り替えることもできる。
【００１０】
このように、表示画面にモニタリングの現在の状態と、操作説明とを表示することによって、どのような操作を行えばよいのか判断できる。また、表示画面に被モニタ内線電話機の情報を表示することによって、どの内線電話機が被モニタ内線電話機となっているかを判断できる。また、被モニタ内線電話機を切り替えた際、どの内線電話機に切り替わったかがわかる。
【００１１】
なお、本発明においても侵入者検知のためのセンサを別途取り付ける必要があるが、詳細な監視は被モニタ内線電話機によって行うため、別途取り付けるセンサは、侵入者の有無を検知するための大まかな監視のみを行えばよいため、高い精度は必要なく、設置個数も少なくてよい。
【００１２】
また、本発明は、既存の内線電話機を改造することなく活用することを重要視しているため、別途センサを取り付けることとして説明したが、予めセンサを内線電話機に組み込んで構成し、これを用いれば、別途センサを取り付ける必要はない。
【００１３】
同じく、本発明は、既存の内線電話機を改造することなく活用することを重要視しているため、周辺情報を収集する機能としては、ハンズフリー通話を行うために、予め内線電話機に備えられているマイクロフォンによる集音機能を想定しているが、さらに、小型のテレビカメラ装置を内線電話機に組み込んで構成し、これを用いれば、マイクロフォンによる集音機能に加え、画像撮影機能も追加されるので、周辺情報の精度を高めることができる。
【００１４】
すなわち、本発明は、複数の内線電話機と、この複数の内線電話機を収容する主装置とを備えたボタン電話装置であって、本発明の特徴とするところは、センサの検知出力を受け取る手段と、この受け取る手段によりセンサからの検知出力を受け取ると予め設定された被通報内線電話機に対してその旨を通報する手段と、当該被通報内線電話機からの当該通報に対する応答を受けると予め設定された被モニタ内線電話機の周辺情報収集機能を起動させ、その周辺情報収集結果を前記被通報内線電話機に転送する手段とを備えたところにある。
【００１５】
これによれば、被モニタ内線電話機が従来の防犯システムにおける侵入者検知機能になり、被通報内線電話機が従来の防犯システムにおけるモニタ機能になる。
【００１６】
また、前記被通報内線電話機からの操作入力に応じて前記被モニタ内線電話機を他の内線電話機に切り替える手段を備えることができる。これによれば、複数の箇所を順次監視することができる。
【００１７】
また、前記被通報内線電話機の表示画面に前記被モニタ内線電話機の識別情報または前記周辺情報収集機能の稼働状況または自被通報内線電話機の操作説明を表示させる手段を備えることができる。
【００１８】
これによれば、被通報内線電話機の操作者は、各種の情報を容易に得ることができる。
【００１９】
また、前記センサは市販のセンサを用いることができ、その場合には、従来の内線電話機をそのまま用いることができる。また、一方では前記内線電話機の一部または全部に前記センサを備えることもできる。これによれば、別途センサを設ける必要がなく、設置空間および工数を削減することができる。また、複数の内線電話機がセンサを有すれば、これら複数のセンサを切替えながら監視を行えるため、監視精度を高めることができる。
【００２０】
また、前記内線電話機の一部または全部に前記周辺情報収集機能としてテレビカメラ装置を備えることもできる。これによれば、前記周辺情報収集機能として、前記内線電話機に、ハンズフリー通話を行うために予め備えられているマイクロフォンによる音響情報の他に、前記テレビカメラ装置による画像情報を得ることができ、周辺情報の精度を高めることができる。
【００２１】
また、本発明を内線電話機の観点から観ると、本発明は、本発明のボタン電話装置に適用され、前記センサまたは前記テレビカメラ装置を備えた内線電話機である。
【００２２】
また、本発明を侵入者監視方法としての観点から観ることもできる。すなわち、本発明は、複数の内線電話機を収容する主装置が行う侵入者監視方法であって、本発明の特徴とするところは、侵入者を検知するセンサからの検知出力を受け取ると予め設定された被通報内線電話機に対してその旨を通報し、当該被通報内線電話機からの当該通報に対する応答を受けると予め設定された被モニタ内線電話機の周辺情報収集機能を起動させ、その周辺情報収集結果を前記被通報内線電話機に転送するところにある。
【００２３】
また、前記被通報内線電話機からの操作入力に応じて前記被モニタ内線電話機を他の内線電話機に切り替えることができる。
【００２４】
また、前記被通報内線電話機の表示画面に前記被モニタ内線電話機の識別情報または前記周辺情報収集機能の稼働状況または自被通報内線電話機の操作説明を表示させることができる。
【００２５】
また、本発明をプログラムの観点から観ることもできる。すなわち、本発明は、汎用の情報処理装置にインストールすることにより、その汎用の情報処理装置に、本発明のボタン電話装置の前記主装置の機能に相応する機能を実現させるプログラムである。
【００２６】
本発明のプログラムは記録媒体に記録されることにより、前記汎用の情報処理装置は、この記録媒体を用いて本発明のプログラムをインストールすることができる。あるいは、本発明のプログラムを保持するサーバからネットワークを介して直接前記汎用の情報処理装置に本発明のプログラムをインストールすることもできる。
【００２７】
これにより、汎用の情報処理装置を用いて、本発明のボタン電話装置の前記主装置の機能に相応する機能を実現することができる。
【００２８】
なお、本発明のプログラムは、汎用の情報処理装置によって直接実行可能なものだけでなく、ハードディスクなどにインストールすることによって実行可能となるものも含む。また、圧縮されたり、暗号化されたりしたものも含む。
【発明の効果】
【００２９】
本発明によれば、新規に防犯システムを導入するのに際して要する費用と時間とを削減することができると共に情報収集精度を従来と比べて高くすることができる。
【発明を実施するための最良の形態】
【００３０】
本発明の実施例のボタン電話装置を図１〜図６を参照して説明する。図１〜図３は本実施例のボタン電話装置の構成と共にその動作を説明する図である。図４は本実施例のボタン電話装置のセンサ検知からモニタ開始までの動作を示すフローチャートある。図５は本実施例の被モニタ内線電話機切替えの手順を示すフローチャートである。図６は本実施例の被通報内線電話機の表示画面における表示例を示す図である。
【００３１】
本実施例は、図１に示すように、複数の内線電話機２〜５と、この複数の内線電話機２〜５を収容する主装置１０とを備えたボタン電話装置であって、特徴とするところは、センサ１が接続される外部入力ポート１１と、この外部入力ポート１１に接続されたセンサ１からの検知出力を受け取ると予め設定された被通報内線電話機４または５に対してその旨を通報する通報部１３と、当該被通報内線電話機４または５からの当該通報に対する応答を受けると予め設定された被モニタ内線電話機２または３の周辺情報収集機能を起動させ、その周辺情報収集結果を被通報内線電話機４または５に転送する転送部１２とを備えたところにある。
【００３２】
また、転送部１２は、被通報内線電話機４または５からの操作入力に応じて被モニタ内線電話機２または３を他の内線電話機に切り替えることができる。
【００３３】
また、通報部１３は、被通報内線電話機４または５の表示画面２０に被モニタ内線電話機２または３の識別情報または前記周辺情報収集機能の稼働状況または自被通報内線電話機の操作説明を表示させることができる。
【００３４】
なお、本実施例では、既存の内線電話機を改造することなく適用することを重要視しているため、前記周辺情報収集機能は、被モニタ内線電話機２または３に予めハンズフリー通話のために備えられているマイクロフォンであり、これにより周囲の音を収集する。
【００３５】
次に、本実施例のボタン電話装置の動作を図１〜図６を参照して説明する。  図１および図４に示すように、侵入者が有り（Ｓ０）、主装置１０に接続したセンサ１が侵入者を検知すると（Ｓ１）、通報部１３は、予め通報先に登録された被通報内線電話機４および５に通報を着信させる（Ｓ２、Ｓ３）。
【００３６】
図２および図４に示すように、通報を受けた被通報内線電話機４が被通報内線電話機５よりも先に応答すると（Ｓ４）、通報部１３は、応答した被通報内線電話機４以外の被通報内線電話機５への着信を停止する（Ｓ５）。
【００３７】
通報部１３は、転送部１２に、被通報内線電話機４に対するモニタ開始指示を行い、転送部１２は、これを受けて被モニタ内線電話機２に対するモニタ開始指示を行い、これを受けて被モニタ内線電話機２はモニタ出力を転送部１２に向けて送出し、転送部１２は、このモニタ出力を被通報内線電話機４に向けて送出することにより被通報内線電話機４のモニタが開始される（Ｓ６、Ｓ７）。この際、被通報内線電話機４の表示画面２０に、モニタに関する情報が表示される。その表示内容は、
【００３８】
i.セキュリティモニタ中であることの表示（図６の１行目）
ii.モニタリングの現在の状態（図６の１行目括弧内）
iii.被モニタ中の内線電話機の内線番号と名称（図６の２行目）
iv.操作説明（図６の３〜４行目）
である。
【００３９】
また、図３および図５に示すように、被通報内線電話機４において操作入力（ＰＢ信号、キーパッドなどによる）を行うことにより（Ｓ８）、被モニタ内線電話機２を別の被モニタ内線電話機３に切り替えることができる。この場合には、まず、転送部１２から被モニタ内線電話機２に対してモニタ停止指示を行い（Ｓ９）、転送部１２から被モニタ内線電話機３に対してモニタ開始指示を行う（Ｓ１０）。被モニタ内線電話機３は転送部１２からのモニタ開始指示を受け取ると、モニタ出力を行い（Ｓ１１）、転送部１２は被モニタ内線電話機３からのモニタ出力を受け取ると被通報内線電話機４に対して切替完了通知とモニタ出力とを送出する（Ｓ１１）。これにより被通報内線電話機４は被モニタ内線電話機３を用いてモニタ中となる（Ｓ１２）。
【００４０】
なお、図６の表示例における操作説明では、“５”のボタンを押下すると、被モニタ内線電話機のスピーカから侵入者を威嚇するための警報音または予め録音されている音声（または合成音声）が発出される。＊ボタンを押下すると、現在よりも小さい内線番号（前）の内線電話機に被モニタ内線電話機が切替わる。また、♯ボタンを押下すると、現在よりも大きい内線番号（次）の内線電話機に被モニタ内線電話機が切替わる。“０”のボタンを押下すると被モニタ内線電話機のスピーカがＯＮ状態となり、被通報内線電話機の送話器またはマイクロフォンからの音声が被モニタ内線電話機のスピーカから送出される。
【００４１】
（その他の実施例）
上記実施例は、既存の内線電話機を改造することなく活用することを重要視しているため、別途センサ１を取り付けることとして説明したが、予めセンサ１を内線電話機２〜５に組み込んで構成し、これを用いれば、別途センサ１を取り付ける必要はない。内線電話機にセンサ１を組み込んで構成した例を図７に示す。
【００４２】
また、センサ１を内線電話機２〜５に組み込んで構成した場合には、このセンサ１も切替えて使用できるので、侵入者探索精度を高めることができる。
【００４３】
また、内線電話機２〜５にセンサ１が組み込まれた場合には、内線電話機２〜５と主装置１０とを接続する信号線１４を用いてセンサ１の検知出力を主装置１０に伝送することができるため、外部入力ポート１１を省略することもできる。
【００４４】
さらに、上記実施例は、既存の内線電話機を改造することなく活用することを重要視しているため、前記周辺情報収集機能は、被モニタ内線電話機２または３に予めハンズフリー通話のために備えられているマイクロフォンであるとして説明したが、周辺情報収集機能を高めるために、小型のテレビカメラ装置を内線電話機２〜５に組み込んで構成し、当該テレビカメラ装置の撮影範囲（ズーム、パン）を被通報内線電話機側から遠隔操作できるようにすることにより、周辺情報収集機能を音だけでなく画像によっても実現することができる。
【００４５】
内線電話機にテレビカメラ装置１５を組み込んで構成した例を図８に示す。テレビカメラ装置１５の画像信号やテレビカメラ装置１５の撮影範囲を遠隔操作するための制御信号も信号線１４を用いて伝送することができる。図８の例では、テレビカメラ装置１５は、遠隔操作によって任意の方向に回動する。
【００４６】
また、センサ１およびテレビカメラ装置１５の両方を一台の内線電話機に組み込んで構成した例を図９に示す。このように防犯システムに用いることを前提とした内線電話機を構成することもできる。
【００４７】
（プログラムの実施例）
汎用の情報処理装置にインストールすることにより、その汎用の情報処理装置に、本実施例の主装置１０の機能に相応する機能を実現させるプログラムの実施例を説明する。
【００４８】
本実施例のプログラムは記録媒体に記録されることにより、前記汎用の情報処理装置は、この記録媒体を用いて本実施例のプログラムをインストールすることができる。あるいは、本実施例のプログラムを保持するサーバからネットワークを介して直接前記汎用の情報処理装置に本実施例のプログラムをインストールすることもできる。
【００４９】
これにより、汎用の情報処理装置を用いて、本実施例の主装置１０の機能に相応する機能を実現することができる。
【００５０】
なお、本実施例のプログラムは、汎用の情報処理装置によって直接実行可能なものだけでなく、ハードディスクなどにインストールすることによって実行可能となるものも含む。また、圧縮されたり、暗号化されたりしたものも含む。
【産業上の利用可能性】
【００５１】
本発明によれば、新規に防犯システムを導入するのに際して要する費用と時間とを削減することができると共に情報収集精度を従来と比べて高くすることができるため、防犯システムの普及とその精度向上に利用することができる。
【図面の簡単な説明】
【００５２】
【図１】本実施例のボタン電話装置の構成と共にその動作を説明する図（Ｓ１〜Ｓ３）。
【図２】本実施例のボタン電話装置の構成と共にその動作を説明する図（Ｓ４〜Ｓ７）。
【図３】本実施例のボタン電話装置の構成と共にその動作を説明する図（Ｓ８〜Ｓ１２）。
【図４】本実施例のボタン電話装置のセンサ検知からモニタ開始までの動作を示すフローチャート。
【図５】本実施例の被モニタ内線電話機切替えの手順を示すフローチャート。
【図６】本実施例の被通報内線電話機の表示画面における表示例を示す図。
【図７】本実施例の内線電話機にセンサを組み込んで構成した例を示す図。
【図８】本実施例の内線電話機にテレビカメラ装置を組み込んで構成した例を示す図。
【図９】本実施例の内線電話機にセンサおよびテレビカメラ装置の両方を組み込んで構成した例を示す図。
【符号の説明】
【００５３】
１  センサ
２〜５  内線電話機（２、３：被モニタ内線電話機、４、５：被通報内線電話機）
１０  主装置
１１  外部入力ポート
１２  転送部
１３  通報部
１４  信号線
１５  テレビカメラ装置
２０  表示画面
【図１】
2008269402.tif 000003
【図２】
2008269402.tif 000004
【図３】
2008269402.tif 000005
【図４】
2008269402.tif 000006
【図５】
2008269402.tif 000007
【図６】
2008269402.tif 000008
【図７】
2008269402.tif 000009
【図８】
2008269402.tif 000010
【図９】
2008269402.tif 000011